(57)【要約】【課題】ネールアートや肌へのペイントまたは文具、模型等の微細な場所へ好適に使用することができ、特に濃淡の段階的変化を表現するグラデーション模様を簡単に描くことのできる塗料塗布用器具を提供する。【解決手段】圧力空気発生源と、該圧力空気発生源からの空気を外部に噴射することが出来、その空気噴射中塗料を補給する補給手段を有しておらず、単に塗料を含浸、保持することが出来る塗布具状部材と、該塗布具状部材と前記圧力空気源との間を連通する連通手段とを備え、前記塗布具状部材に含浸保持させた塗料を、前記連通手段を介して圧力空気源から噴射される空気によって霧化させて塗布し、漸減する塗料により濃淡の段階的変化を有するグラデーション模様を簡単に形成可能としたことを特徴とする。【選択図】        図１
2004195352.tif 000002
【特許請求の範囲】
【請求項１】
圧力空気発生源と、
該圧力空気発生源からの空気を外部に噴射することが出来、その空気噴射中塗料を連続的に補給する手段を有しておらず、限定された量の塗料のみを含浸、保持することが出来る塗布具状部材と、
該塗布具状部材と前記圧力空気源との間を連通する連通手段とを備え、
前記塗布具状部材に含浸保持させた塗料を、前記連通手段を介して圧力空気源から噴射される空気によって霧化させ、塗布するようにしたことを特徴とする塗料塗布用器具。
【請求項２】
前記圧力空気源が適度の弾性復元力を有するゴム材料や合成樹脂等からなる押圧可能な容器からなり、外部から圧力を加え変形させることによって圧縮空気を造り出すようにしたことを特徴とする請求項１記載の塗料塗布用器具。
【請求項３】
前記圧力空気源が、ガスが充填されたエアゾール容器であることを特徴とする請求項１記載の塗料塗布用器具。
【請求項４】
前記塗布具状部材は毛管を有する繊維束や多孔質含浸体、若しくはこれらの組合せ等からなることを特徴とする請求項１記載の塗料塗布用器具。
【請求項５】
前記連通手段が、ノズルであることを特徴とする請求項１記載の塗料塗布用器具。
【発明の詳細な説明】
【０００１】
【発明の属する技術分野】
この発明は、筆状のペン先にインク、顔料等の所望の塗料を付着させた後、圧力空気発生源から導いた空気を噴射させて、ペン先に付着した塗料を霧化し、塗布するようにした塗料塗布用器具に関し、更に詳しくは濃淡の段階的変化を有するグラデーション模様を形成するに好適な塗料塗布用器具に関する。
【０００２】
【従来の技術】
従来、エアゾール容器等の圧縮空気源とインク等の塗料を貯蔵する塗料容器とを備え、圧縮空気源から噴出される圧縮空気で塗料容器から塗料を吸引して霧化し塗布するようにしたエアブラシと称される塗布用器具は公知であり、例えば特開平９−２７６７５６号公報に開示されている。かかるエアブラシにあっては、塗料容器から常時一定量の塗料が吸引されて噴射されるようになっているため、霧化される塗料の量を漸減させてグラデーション模様を描くことが困難であった。
【０００３】
【特許文献１】
特開平０９−２７６７５６号公報（第１−５頁、第１、３−５図）
【０００４】
【発明が解決しようとする課題】
従来のエアブラシを用いてグラデーションを描くためには、塗料量および圧搾空気の吹き出し量を微妙に調整する必要があった。そしてまた、その操作自体も技術が必要となり素人では簡単にグラデーションを描くことは困難な状況にあった。
【０００５】
そこで、本発明の目的は、素人でも手軽にグラデーションを描くことができ、特にネールアートや肌へのペイントまたは文具、模型等の微細な場所へ好適に使用することのできる塗料塗布用器具を提供することにある。
【０００６】
【課題を解決するための手段】
上記課題を解決するためにこの発明が採った手段は、圧力空気発生源と、該圧力空気発生源からの空気を外部に噴射することが出来、その空気噴射中塗料を補給する補給手段を有しておらず、単に塗料を含浸、保持することが出来る塗布具状部材と、該塗布具状部材と前記圧力空気源との間を連通する連通手段とを備え、前記塗布具状部材に含浸保持させた塗料を、前記連通手段を介して圧力空気源から噴射される空気によって霧化させ、塗布するようにしたことを特徴とするものであり、噴射により塗布具状部材に付着した塗料は、漸減していくため濃淡の段階的変化を有するグラデーション模様を簡単に形成することが可能となる。
【０００７】
圧力空気源は、適度の弾性復元力を有するゴム材料や合成樹脂等からなる袋体の押圧可能な容器からなり、その容器本体は押圧し易いように蛇腹に形成しても良い。そして、そのように形成した容器本体に対し外部から圧力を加え変形させることによって圧搾空気を造り出すようにしたことを特徴とする。
【０００８】
また、前記圧力空気源には、ガスが充填されたエアゾール容器を用いていることを特徴とする。
【０００９】
また、前記塗布具状部材には、毛管を有する繊維束や多孔質含浸体若しくはこれらの組合せ等を使用していることを特徴とする。
【００１０】
また、前記連通手段は、パイプ状および孔状のノズルであることを特徴とする。
【００１１】
【発明の実施の形態】
この発明の好ましい実施の形態を、以下に説明する。この塗料塗布用器具は、圧力空気発生源を有していて、この圧力空気発生源からの空気を塗布具状部材を介して外部に噴射することが可能であり、該空気の噴射により塗布具状部材に付着させた塗料を霧化して塗布することが出来る。この発明の器具は、圧縮空気の噴射中、塗布具状部材に塗料を補給する手段を有しておらず、塗布具状部材を塗料を貯蔵した容器に浸漬して付着させ量の塗料のみが霧化される。すなわち、この発明の塗布用器具にあっては、塗布具状部材に含浸、保持させた限定された量の塗料のみを霧化し、塗布するようにしたことを特徴とするものである。塗布具状部材は、前記圧力空気源との間を連通するパイプ状や孔状のノズルからなる連通手段とを備え、前記塗布具状部材に含浸保持させた塗料を、前記連通手段を介して圧力空気源から噴射される空気の流れによって霧化される。このように、塗布具状部材には、塗料は補給されず付着している塗料のみが霧化されるようになっているので、塗料は空気の噴出に伴って漸減し、濃淡の段階的変化を有するグラデーション模様を簡単に形成することが可能となる。
【００１２】
前記圧力空気源は、外部から圧力を加え変形させることによって圧縮空気を造り噴射することが可能な適度の弾性復元力を有するゴム材料や合成樹脂等からなる袋体、或いは液化ガスや圧縮ガスが充填されたエアゾール容器からなる。又、塗布具状部材は、毛管を有する繊維束や多孔含浸体若しくはこれらの組合せ等が好適であるが限定されない。連通手段はパイプ状や孔状のノズルになっており、圧力空気源と塗布具状部材とを連結し、圧力空気を塗布具状部材から外部に噴射することが出来る。
【００１３】
【実施例】
以下、発明の一実施例について、図面を参照して説明すると、図１は本発明の第一実施例の本体容器を示した説明図であり、図２は本発明の第二の実施例の本体容器を示した説明図である。そして、図３は図１(c)の容器に形成される開閉孔(4)の概略構造を示した図である。また、図４は本発明に係わる筆状ペン先を示す側面図であり、図５は第一実施例の塗料塗布用器具の使用状態を説明した図である。そして、図６および図７は第二実施例の塗料塗布用器具の使用状態を説明した図である。
【００１４】
第一実施例である塗料塗布用器具の本体容器を説明した図１(a)において、(1)は本発明の塗料塗布用器具を示し、この器具は、容器本体(2)と、この容器本体(2)の一部から筆取付部(9)を突出させ、その突出させた筆取付部(9)に塗布具状部材である筆状ペン(10)を取付てなる。
【００１５】
同図において容器本体(2)は、適度の弾性を有するゴム材料や合成樹脂材料等を使用し、袋体に形成されている。又、この袋体は図1(b)に示すような蛇腹状に形成し、手で握り易い適当な大きさに形成しても良い。また、この第一実施例である図１(a)(b)の容器本体(2)には、孔(3)が形成されており、容器本体(2)の内部の空気と外気とがこの孔(3)を介して連通されている。そして、この孔(3)は指で容易に塞ぐことができる大きさで形成されている。
【００１６】
また、この孔(3)に代わって、図１(c)に示すような開閉孔(4)としても良い。この開閉孔(4)は、図３に示すように、容器内部の空気(9)と外気とを連通させたり、また、遮ったりする逆止弁(6)が付加されており、この弁(6)は上述の第一実施例に記載した孔(3)に代わるものとして機能する。そして、この開閉孔(4)の構造は図３に示したような構造となっている。
【００１７】
この図３(a)は開閉孔(4)が閉じた状態を示しており、この場合、容器内部の空気(9)は容器本体(2)の内部に閉じ込められた状態となっているので、容器本体(2)に外部から圧力を加えても開閉孔(4)から外部に漏れ出すことはない。容器本体(2)の一部には、筒状口部(5)が形成されこの筒状口部(5)内に形成された逆止弁(6)の一端は、基部(8)から延びた厚みより細くなった部分で接続されている。そして、その弁(6)の他端はフリー状態になっている。このような状態の開閉孔(4)において、容器本体(2)に外部から圧力を加えると、その内部の空気は圧力が増大し、その増大した圧力で弁(6)の他端は、容器本体内部側で頂壁部(7)に当接して開閉孔(4)を塞ぐようになっている。
【００１８】
また、図３(b)の状態は開閉孔(4)に付加された弁６が開いた状態を示し、容器本体(2)に外部から空気を取り込む際の状態を示している。つまり、容器本体(2)からその内部の空気が排出された後には、その容器が弾力性を有していることから容器本体(2)の復元力によって容器の内部に外気が流れ込むように働くので、弁(6)の他端は外部から流入される空気圧で押し下げられ、弁(6)は頂壁部(7)から離れる。よって、この状態で開閉孔(4)は開き動作となるので、容器本体(2)の内部に空気が入り込むようになっている。
【００１９】
また、塗布具状部材である筆状ペン(10)は図４に示したように全体が筆状になっており、軸筒(11)内のほぼ中心にノズルを形成する基部(12)を有し、その先に筆の先端部(15)を有したものである。図４(a)に示した筆(14)は、繊維束や毛管成形体等の剛毛体等で形成されている筆状の塗布具状部材であり、その先端部(15)は先細状に形成されている。また、この図４(b)に示した筆(14)は、多孔含浸体等をで形成されている。更に、図４(c)に示すように、繊維束と、多孔質含浸体とを組み合わせたものであっても良い。この繊維束及び多孔含浸体からなる筆(14)等を使用した筆状ペン(10)はその内部に形成された毛細管を介して容器内部と外気に連通するようになっている。又、これらの繊維束や多孔質含浸体の大きさや密度（繊維の太さや量、多孔質含浸体の空孔量）を変更することにより、塗料の含浸量を変えることが出来、一回の含浸で噴射出来る塗料の量を自在に調整することが可能となる。更に、図４(c)に示す繊維束と多孔質含浸体を組み合わせたものによれば、塗料の含浸量をより大きな範囲で調整することが出来る。
【００２０】
次に、以上のような構造の塗料塗布用器具(1)を用いて、例えばネールアートのように爪の表面にグラデーションを描く方法を説明すると、まず、図５(a)に示したように塗料塗布用器具(1)の先端部(15)を容器(21)に収容されている塗料(22)に浸す。これにより限定された量の塗料が塗布具状部材に付着含浸し、保持される。この時筆の先端部(15)に付着させる塗料(22)の付着量は、グラデーションを描く対象物である爪の表面に描く模様の大きさ、線の太さ等によって適宜調整をする必要がある。
【００２１】
そして、次に図５(c)に示すように、塗料(22)を付着させた筆状ペン(10)の先端部(15)を爪の上部に位置させて、容器本体(2)を外部から圧力を加えながら模様を描くようにする。この具体的な動作としては、上述した第一実施例によれば、容器本体(2)に形成されている孔(3)を指で塞ぐと共に容器本体(2)を握って押圧することで、容器内部の空気(9)をノズル(13)を介して先端部(15)から勢いよく噴射させ、その噴射させた空気(9)の流れと共に筆(14)の先端部に付着している塗料(22)を霧化させながら爪の表面(24)を移動させて霧化された塗料(23)を付着させる。
【００２２】
また、上述した開閉孔(4)を適用した実施例によれば、開閉孔(4)に形成されている弁(6)の自動的動作により容器本体(2)を握って押圧するだけで、容器内部の空気(9)をノズル(13)を介して先端部(15)から勢いよく噴射させ、その噴射させた空気(9)と共に筆(14)の先端部に付着している塗料(22)を霧化させながら爪の表面(2)に塗布することが出来る。
【００２３】
以上のような方法によって、当初、爪の表面に濃い濃度で霧化され噴射された塗料(22)は、その後、徐々に塗料(22)の噴出量が減少してくるので、筆先を移動させることにより濃淡の段階的変化が表現される。従って、このような方法を用いることで、簡単にグラデーション模様を形成することが可能となる。
【００２４】
尚、以上の説明においては、グラデーション模様を形成する場合について述べたが、この発明の塗布用器具は、グラデーション模様の形成のみが可能なものではない。爪の表面に所望の色彩を有するつけづめの如きベースを設け、このベースの表面に異なった色彩の塗料を塗布することにより、異なるニュアンスを得ることが可能となる。又、２色以上の塗料を順次塗布することにより異なる色を点在させることも可能となる。
【００２５】
次に、第二実施例である塗料塗布用器具を説明すると、まず、本体容器を説明した図２において、(31)は本発明の第二実施例である塗料塗布用器具を示し、この器具は、容器本体(32)と、この容器本体(32)の一部から筆取付部を突出させ、その突出させた筆取付部に塗布具状部材である筆状ペン(10)を取付てなる。
【００２６】
図２において容器本体(32)は、液化ガスが充填されたエアゾール容器であり常に液化ガスが適度な圧力で保持されている。すなわち、容器本体(32)には液化ガス(34)が充填されており、気化されたガス(33)が容器本体の上部に存在し、外部に噴射されるようになっている。エアゾールバルブの構造は、一般的なものと同様であるので、詳細は省略する。尚、エアゾール容器にあっては、液化ガスが充填されているため、容器を傾けて使用した場合、液化ガスが直接噴射してしまう恐れがある。これを防止するには、容器内に発泡体を収納し容器が傾斜しても液化ガスが直接口部に到達しないようにする。
【００２７】
また、塗布具状部材である筆状ペン(10)については、図４に示す第一実施例と同じものを使用するので、この筆状ペン(10)の説明は省略する。
【００２８】
次に、このような第二実施例の塗料塗布用器具(31)を用いて、例えば第一実施例と同様にネールアートのように爪の表面にグラデーションを描く方法を説明すると、まず、塗料塗布用器具(31)が図６(a)に示すように正立タイプの場合においては、筆状ペン(10)の先端部(15)を容器(21)に収容されている塗料(22)に浸す。そして、次に、図６(b)に示したように先端部(15)に塗料(22)を付着させる。この時に筆の先端部(15)に付着させる塗料(22)の付着量は、対象物である爪の表面に描く模様の大きさ、線の太さ等によって適宜調整する。
【００２９】
そして、次に図６(c)に示したように、塗料(22)を付着させた筆状ペン(10)の先端部(15)をグラデーション模様を描く爪の上部(24)に位置させて、容器本体(32)の噴射ボタンを外部から押圧しながら塗料(22)を霧化させて爪の表面(24)を移動させて霧化された塗料(23)を付着させる。
【００３０】
また、第二実施例の塗料塗布用器具が倒立タイプ(41)の場合においても同様に、図７(a)に示したように、筆状ペン(10)の先端部(15)を容器(21)に収容されている塗料(22)に浸す。そして、次に、図７(b)に示したように先端部(15)に塗料(22)を付着させる。この時に筆の先端部(15)に付着させる塗料(22)の付着量は、対象物である爪の表面に描く模様の大きさ、線の太さ等によって適宜調整する。
【００３１】
そして、次に図７(c)に示したように、塗料(22)を付着させた筆状ペン(10)の先端部(15)をグラデーション模様を描く爪の上部(24)に位置させて、容器本体(32)の噴射ボタンを外部から押圧しながら塗料(22)を霧化させて爪の表面(24)を移動させて霧化された塗料(23)を付着させる。
【００３２】
以上説明したような方法によって塗料(23)を爪の表面(24)に付着させると、当初、濃い濃度で霧化され噴射された塗料(22)は、その後、徐々に塗料(22)の噴出量が減少してくるので、筆先を移動させることにより濃淡の段階的変化が表現される。従って、このような方法を用いることで、簡単にグラデーション模様を形成することが可能となる。又、前述したように、他の塗布状態を採り、ベースとは異なったニュアンスの模様や、異なった色が点在した模様を得ることも可能である。
【００３３】
また、この倒立タイプ(41)のエアゾール容器本体では、倒立状態で容器の上部となる容器の底部に存在する気化ガスを取り出すために、容器の底部に開口するディップチューブ(16)を用いるが、容器を成立させたとき該ディップチューブ内に液化ガスが侵入し、倒立時にディップチューブ内に残存した液化ガスがそのまま噴射される恐れがある。そこで、容器内に発泡体を収納して液化ガスの移動を制限するようにするのが好ましい。
【００３４】
また、第一および第二実施例共に筆状ペン(10)は、未使用時に乾燥して固化したり、変形したりするのを防止するために、そのキャップを装着できるようになっている。
【００３５】
【発明の効果】
以上説明してきたように、この発明によれば、その構成を圧力空気発生源と、該圧力空気発生源からの空気を外部に噴射することが出来、その空気噴射中塗料を補給する補給手段を有しておらず、限定された量の塗料を含浸、保持することが出来る塗布具状部材と、該塗布具状部材と前記圧力空気源との間を連通する連通手段とを備え、前記塗布具状部材に含浸保持させた塗料を、前記連通手段を介して圧力空気源から噴射される空気によって霧化させて塗布するようにしてあるので、漸減する塗料により濃淡の段階的変化を有するグラデーション模様を手軽に形成することが可能となり、描く対象物に応じて含浸させる塗料の量を調整するだけで特別な技術を要することなく素人にも簡単に描くことができるという効果が得られる。
【００３６】
また、前記圧力空気源が適度の弾性復元力を有するゴム材料や合成樹脂等からなる押圧可能な容器からなり、外部から圧力を加え変形させることによって圧縮空気を造り出すようにしたため、噴射する空気の量の調整が比較的容易にでき、且つ構造が簡単で安価にできるという効果が得られる。
【００３７】
また、前記圧力空気源が、ガスが充填されたエアゾール容器である場合、一定の空気圧で、塗料を霧化するので、濃淡の変化が綺麗なグラデーション模様を描くことができる。
【００３８】
また、前記塗布具状部材は毛管を有する繊維束や多孔含浸体等で形成したため、その毛細管現象を利用して容易に塗料を含浸させることができるという効果が得られる。
【００３９】
また、前記連通手段はノズルであるため、圧力空気源から導かれた空気はそこを通過する際に排出される空気圧が増大し、更にその噴射力も増大させることが出来るので、比較的圧力の低い空気源で、安定した噴射ができるという効果が得られる。
【図面の簡単な説明】
【図１】図１は本発明である第一実施例の本体容器を示した説明図である。
【図２】本発明の第二の実施例の本体容器を示した説明図である。
【図３】図１(c)の容器に形成される開閉孔(4)の概略構造を示した図である。
【図４】本発明に係わる筆状ペン先を示す側面図である。
【図５】第一実施例の塗料塗布用器具の使用状態を説明した図である。
【図６】第二実施例の正立タイプの塗料塗布用器具の使用状態を説明した図である。
【図７】第二実施例の倒立タイプの塗料塗布用器具の使用状態を説明した図である。
【符号の説明】
(1)  塗料塗布用器具
(2)  容器本体
(3)  孔
(4)  開閉孔
(10)  筆状ペン
(13)  ノズル
(14)  筆
【図１】
2004195352.tif 000003
【図２】
2004195352.tif 000004
【図３】
2004195352.tif 000005
【図４】
2004195352.tif 000006
【図５】
2004195352.tif 000007
【図６】
2004195352.tif 000008
【図７】
2004195352.tif 000009